(57)【要約】【課題】  ネットワークカメラ専用の電源，接続ケーブルの中継器具，リレー等の機材を一つに収納し省スペース化を図ることのできるネットワークカメラ用制御箱を提供する。【解決手段】  ネットワークカメラ３００の設置場所に近接して設けられ、ネットワークカメラ３００をネットワーク回線２００に接続するとともに、負荷３及びセンサー１２が接続されたネットワークカメラ用制御箱５００であって、ネットワークカメラ３００の出力信号が入力されると、負荷３を駆動させる信号を出力する負荷リレー回路Ｘ，ＭＳと、センサー１２の検知信号が入力されると、ネットワークカメラ３００を駆動させる信号を出力するセンサーリレー回路Ｙ，Ｙ1と、ネットワークカメラ３００用の電源部４，１５，１６と、ネットワークカメラ３００とネットワーク回線２００とを接続するケーブル７を中継するための中継器具１１と、を一つに収納した。【選択図】      図２
2007074464.tif 000002
【特許請求の範囲】
【請求項１】
ネットワークカメラの設置場所に近接して設けられ、ネットワークカメラをネットワーク回線に接続するとともに、負荷及びセンサーが接続されたネットワークカメラ用制御箱であって、
前記ネットワークカメラの出力信号が入力されると、前記負荷を駆動させる信号を出力する負荷リレー回路と、
前記センサーの検知信号が入力されると、前記ネットワークカメラを駆動させる信号を出力するセンサーリレー回路と、
前記ネットワークカメラ用の電源部と、
前記ネットワークカメラとネットワーク回線とを接続するケーブルを中継するための中継器具と、を一つに収納したことを特徴にするネットワークカメラ用制御箱。
【請求項２】
前記センサーリレー回路は、前記センサーの検知信号が入力されると、前記ネットワークカメラを駆動させる信号を出力することに加えて、前記負荷を駆動させる信号も出力することを特徴にする請求項１に記載のネットワークカメラ用制御箱。
【請求項３】
前記中継器具が中継する、前記ネットワークカメラとネットワーク回線とを接続するケーブルは、ＬＡＮケーブルであることを特徴にする請求項１又は２に記載のネットワークカメラ用制御箱。
【請求項４】
前記ネットワークカメラは、音声の入出力機能を有し、
前記ネットワークカメラとマイクとを接続するマイクケーブルを中継するためのマイク用中継器具と、
前記ネットワークカメラとスピーカとを接続するスピーカケーブルを中継するためのスピーカ用中継器具と、についても更に収納したことを特徴にする請求項１乃至３のうちいずれか一つに記載のネットワークカメラ用制御箱。
【請求項５】
前記負荷は、照明装置であることを特徴にする請求項１乃至４のうちいずれ一つに記載のネットワークカメラ用制御箱。
【請求項６】
前記照明装置の点灯が不要な場合には、前記負荷を駆動させる信号の出力を禁止する自動点滅器を、更に収納したことを特徴にする請求項５に記載のネットワークカメラ用制御箱。
【発明の詳細な説明】
【技術分野】
【０００１】
本発明は、ネットワークカメラをネットワーク回線に接続するとともに、負荷及びセンサーが接続されたネットワークカメラ用制御箱に関するものである。
【背景技術】
【０００２】
近年、インターネットや社内ＬＡＮを利用して、離れた場所の画像をパソコンや携帯電話でリアルタイムで視認するためのネットワークカメラが多くの場所で設置されている（例えば、特許文献１，２，３，４など）。
【特許文献１】特開２００３−８９７３号公報
【特許文献２】特開２００３−２５０１４７号公報
【特許文献１】特開２００４−１１７９７２号公報
【特許文献２】特開２００４−１１７９７３号公報
【０００３】
通常、ネットワークカメラで撮影した映像をネットワーク回線を通じてパソコン等に配信する場合には、ＡＣアダプターを経由したネットワークカメラ用の電源とＬＡＮケーブルが必要となる。
また、映像の配信に加えてネットワークカメラで音声通信を使用するためには、さらにマイク用のケーブルとスピーカー用のケーブルが必要となってくる。
【発明の開示】
【発明が解決しようとする課題】
【０００４】
しかし、ネットワークカメラ用の電源は、ネットワークカメラ付属のＡＣアダプターを経由して供給されるため、コード長に制限がある。そのため、コンセントを設置した箱で中継する必要がある。また、ネットワークカメラに接続されるケーブルが多くなると、接続ケーブルを中継する方が作業として容易である。
【０００５】
また、例えば、マンションの出入口や駐車場等においてネットワークカメラを使用して２４時間連続的に監視する場合、人の動きをセンサーが検知したときにネットワークカメラで撮影を開始するように制御したり、特に夜間の場合には、センサーの検知に対応して照明を点灯するように負荷を制御することが考えられる。
このように、ネットワークカメラを照明等の負荷の制御と各種センサーの制御とを連動させ、その結果得られた映像をネットワーク回線に接続されたパソコンに配信するといったシステムにおいては、ネットワークカメラの仕様に合った制御用のリレーを設ける必要がある。
さらに、上述したＡＣアダプター、接続ケーブルの中継器具そして制御用のリレーが個々に配置されたのでは設置や補修時の作業が煩雑であり、これらを一つに収納しコンパクト化することが望まれる。
【０００６】
そこで本発明の目的とするところは、ネットワークカメラ専用の電源，接続ケーブルの中継器具，リレー等の機材を一つに収納し省スペース化を図ることのできるネットワークカメラ用制御箱を提供することにある。
【課題を解決するための手段】
【０００７】
上記の目的を達成するために、請求項１に係る発明は、ネットワークカメラ（３００）の設置場所に近接して設けられ、ネットワークカメラ（３００）をネットワーク回線（２００）に接続するとともに、負荷（３）及びセンサー（１２）が接続されたネットワークカメラ用制御箱（５００）であって、
前記ネットワークカメラ（３００）の出力信号が入力されると、前記負荷（３）を駆動させる信号を出力する負荷リレー回路（Ｘ，ＭＳ）と、前記センサー（１２）の検知信号が入力されると、前記ネットワークカメラ（３００）を駆動させる信号を出力するセンサーリレー回路（Ｙ，Ｙ1）と、前記ネットワークカメラ（３００）用の電源部（４，１５，１６）と、前記ネットワークカメラ（３００）とネットワーク回線（２００）とを接続するケーブル（７）を中継するための中継器具（１１）と、を一つに収納したことを特徴にする。
【０００８】
また、請求項２に係る発明は、前記センサーリレー回路（Ｙ，Ｙ1，Ｙ2）に、前記センサー（１２）の検知信号が入力されると、前記ネットワークカメラ（３００）を駆動させる信号を出力することに加えて、前記負荷（３）を駆動させる信号も出力することを特徴にする。
【０００９】
さらに、請求項３に係る発明は、前記中継器具（１１）が中継する、前記ネットワークカメラ（３００）とネットワーク回線（２００）とを接続するケーブルは、ＬＡＮケーブル（７）であることを特徴にする。
【００１０】
また、請求項４に係る発明は、前記ネットワークカメラ（３００）が、音声の入出力機能を有し、前記ネットワークカメラ（３００）とマイク（３０１）とを接続するマイクケーブル（９）を中継するためのマイク用中継器具（１１ａ）と、前記ネットワークカメラ（３００）とスピーカ（３０２）とを接続するスピーカケーブル（８）を中継するためのスピーカ用中継器具（１１ｂ）と、についても更に収納したことを特徴にする。
【００１１】
また、請求項５に係る発明は、前記負荷（３）を照明装置としたことを特徴にする。
【００１２】
また、請求項６に係る発明は、前記照明装置（３）の点灯が不要な場合には、前記負荷（３）を駆動させる信号の出力を禁止する自動点滅器（６）を、更に収納したことを特徴にする。
【００１３】
なお、括弧内の記号は、図面及び後述する発明を実施するための最良の形態に記載された対応要素または対応事項を示す。
【発明の効果】
【００１４】
本発明のネットワークカメラ用制御箱によれば、例えば、ＬＡＮケーブル，スピーカケーブル，マイクケーブルといった接続ケーブルを中継器具でまとめて中継するので、作業が容易である。
また、ネットワークカメラを照明装置等の負荷の制御とセンサーの制御とを連動させ、それらを制御する負荷リレー回路とセンサーリレー回路と、ネットワークカメラ用の電源部と、中継器具といった機材を一つに収納したので、これにより省スペース化を図ることができる。また、コンパクト化することによって、設置や補修時の作業を容易にすることができるようになった。
【００１５】
また、例えば、昼間など、照明装置の点灯が不要な場合には、負荷を駆動させる信号の出力を禁止する自動点滅器を、更に収納したので、一層の省スペース化が図れる。
【発明を実施するための最良の形態】
【００１６】
図１および図２を参照して、本発明の実施形態に係るネットワークカメラ用制御箱５００について説明する。図１は、ネットワークカメラ用制御箱５００の通信接続を示したものであり、図２は、そのネットワークカメラ用制御箱５００の構成概要を示したものである。
【００１７】
このネットワークカメラ用制御箱５００は、ネットワークカメラ３００の設置場所に近接して設けられたものであり、ネットワークカメラ３００をインターネット回線２００などのネットワーク回線２００に接続するものである。また、ネットワークカメラ用制御箱５００には、例えば、照明装置などの負荷３及びセンサー１２が接続されていて、センサー１２が人や動物の動きを検知すると、ネットワークカメラ３００を駆動するとともに、照明装置を点灯するようになっている。
ネットワークカメラ３００は、通常、雲台（図示しない）上に水平旋回および垂直旋回自在に取付けられていて、インターネット回線（社内ＬＡＮの場合もある）を利用して、離れた場所の映像（画像も含まれる）をパソコン（ＰＣ）１００や携帯電話にリアルタイムで配信するようになっている。
【００１８】
ネットワークカメラ用制御箱５００には、図２で示すように、中継器具としての中継プラグ１１，１１ａ，１１ｂと、ネットワークカメラ３００用の電源部（ＡＣ１００Ｖ）としてのＡＣアダプター４，プラグ１５，コンセント１６と、負荷リレー回路Ｘ，ＭＳと、センサーリレー回路Ｙ，Ｙ1，Ｙ2とが一つに収納されている。また、手動スイッチ３１や自動点滅器６も同様に収納されている。
【００１９】
中継プラグ１１は、ネットワークカメラ３００とインターネット回線２００を接続するＬＡＮケーブル７を一旦、ネットワークカメラ用制御箱５００内で中継するものである。ネットワークカメラ３００は、音声の入出力機能を有するものであり、中継プラグ１１ａは、ネットワークカメラ３００とマイク３０１を接続するマイクケーブル９を一旦、ネットワークカメラ用制御箱５００内で中継するものである。また、中継プラグ１１ｂは、ネットワークカメラ３００とスピーカ３０２を接続するスピーカケーブル８を一旦、ネットワークカメラ用制御箱５００内で中継するものである。
ネットワークカメラ３００からパソコン（ＰＣ）１００に配信される映像（画像も含まれる）や、パソコン（ＰＣ）１００からネットワークカメラ３００側に送られる、例えば、ネットワークカメラ３００の旋回制御や、ズーム制御，オンオフ制御等の指示命令は、ＬＡＮケーブル７を介して行われる。
【００２０】
また、負荷リレー回路は、ネットワークカメラ３００の仕様に合ったリレーＸと負荷３の仕様に合ったリレーＭＳとからなり、ネットワークカメラ３００からの出力信号がケーブル１０から抵抗Ｒを介して入力されると、リレーＸのはたらきにより接点Ｘをオン（閉）にしてリレーＭＳをはたらかせ、接点ＭＳをオンにすることにより負荷を駆動させる、ここでは、照明装置（市場で広く使用されているセンサーライトなど）３を点灯させる信号を出力する。
これにより、ネットワークカメラ３００の作動時には負荷（照明装置）３が、昼間を除き（後述する自動点滅器６のはたらきによる）自動的に点灯するようになっている。
【００２１】
さらに、センサーリレー回路も、ネットワークカメラ３００の仕様に合ったリレーＹ（接点Ｙ1）からなり、センサー１２からの検知信号が入力されると、リレーＹのはたらきにより接点Ｙ1をオンにすることによりネットワークカメラ３００を駆動させる信号をケーブル１０から出力する。また、リレーＹは、センサー１２からの検知信号の入力があると、接点Ｙ1をオンにすることに加えて、接点Ｙ2もオンにして、リレーＭＳをはたらかせて接点ＭＳをオンにすることにより、負荷についても駆動させる信号を出力する。
これにより、例えば、センサー１２が人や動物の動きを検知すると、ネットワークカメラ３００が自動的に動作させられ、映像（画像も含まれる）がパソコン（ＰＣ）１００に配信される。このとき、負荷（照明装置）３は、昼間を除き自動的に点灯させられる。
なお、センサー１２は、ネットワークカメラ用制御箱５００に設けられた端子台２４，２５に接続されていて、センサー１２からの入力信号をリレーＹで無電圧接点に変更してネットワークカメラ３００と負荷（照明装置）３の制御用に使用するものである。また、無電圧接点１３を端子台２２と端子台２４に接続し、端子台２３と端子台２５を渡り線３０で接続して無電圧接点１３を増幅して使用することも可能である。
【００２２】
また、自動点滅器６は、負荷（照明装置）３の点灯が不要な場合、すなわち昼間には、接点ＭＳをオフ（開）の状態にして、負荷（照明装置）３を点灯させる信号の出力を禁止するようになっている。
また、手動スイッチ３１は、検査時などにユーザーがそれをオンすることによりリレーＭＳをはたらかせ、接点ＭＳをオンにすることにより負荷（照明装置）３を点灯させる信号を出力することができるようになっている。
【００２３】
また、ネットワークカメラ用制御箱５００には、センサー１２の感知範囲外にロックスイッチ５が外付けされている。ロックスイッチ５のはたらきにより、接点Ｙ1はオフ（開）状態にされ、不必要な動作によりネットワークカメラ３００からパソコンＰＣ１００に映像（画像も含まれる）が配信されないようにしてある。
【００２４】
以上のように構成された本実施形態に係るネットワークカメラ用制御箱５００によれば、ＬＡＮケーブル７，スピーカケーブル８，マイクケーブル９といった接続ケーブルを中継プラグ１１，１１ａ，１１ｂでまとめて中継するので、接続ケーブルの整頓化ができる。
また、ネットワークカメラ３００を照明装置３等の負荷の制御とセンサー１２の制御と連動させ、それら制御用のリレーＸ，Ｙ，ＭＳと、ネットワークカメラ３００用の電源部（ＡＣ１００Ｖ）としてのＡＣアダプター４，プラグ１５，コンセント１６と、接続ケーブルの中継プラグ１１といった機材を一つに収納したので、これにより省スペース化を図ることができる。また、コンパクト化することによって、設置や補修時の作業を容易にすることができるようになった。
【００２５】
なお、本実施形態では、負荷として照明装置３を例にあげて説明したが、特に限定されるわけではなく、その他、ベルやサイレンといった警報音発生装置などであってもよい。
【図面の簡単な説明】
【００２６】
【図１】本発明の実施形態に係るネットワークカメラ用制御箱の通信接続を示したブロック図である。
【図２】本発明の実施形態に係るネットワークカメラ用制御箱の構成概要を示すブロック図である。
【符号の説明】
【００２７】
４        ＡＣアダプター
５        ロックスイッチ
６        自動点滅器
７        ＬＡＮケーブル
８        スピーカケーブル
９        マイクケーブル
１０        （ＡＷＧ）ケーブル
１１，１１ａ，１１ｂ    中継プラグ（中継器具）
１２        センサー
１３，１４  無電圧接点
１５        プラグ
１６        コンセント
２２〜２５  端子台
３０        渡り線
３１        手動スイッチ
１００        パソコン（ＰＣ）
２００        インターネット回線
３００        ネットワークカメラ
３０１        マイク
３０２        スピーカ
５００        制御箱
Ｒ        抵抗
ＭＳ        リレー（接点ＭＳ）
Ｘ        リレー（接点Ｘ）
Ｙ        リレー（接点Ｙ1，Ｙ2）
【図１】
2007074464.tif 000003
【図２】
2007074464.tif 000004